(57)【要約】      （修正有）【課題】カム溝を内抱した玉部及びクリップを含む後軸ユニットを容易に組み立て可能とし、新たな出没機構により、携帯時のキャップの不要性や、筆記体着脱のための機構を新たに付加せずに実現できるようにする。【解決手段】後軸３内方に設けた玉部１０ａと、中軸に設けられ、前軸と回転不能で摺動可能に配置したカム溝により、前軸と後軸の相対的回転で、筆記体を保持した中軸を前軸に対し摺動、維持可能に配置した出没式筆記具において、玉部材１０を独立に形成し、玉部材には後軸に係止する係止部９ａとクリップに係止する係止部１０ｂを形成し、玉部材を後軸の外径側より装着し、更に後軸に装着固定するクリップ部材９で玉部の係止、固定をする。【選択図】図６
2009286010.tif 000002
【特許請求の範囲】
【請求項１】
前軸と後軸を回転可能に配置し、後軸内方に設けた玉部と、中軸に固定あるいは中軸と一体に形成され、前軸と回転不能で摺動可能に配置したカム溝により、前軸と後軸の相対的回転で、筆記体を保持した中軸を前軸に対し摺動、維持可能に配置した出没式筆記具において、玉部材を独立に形成し、玉部材には後軸に係止する係止部とクリップに係止する係止部を形成し、玉部材を後軸の外径側より装着し、更に後軸に装着固定するクリップ部材で玉部の係止、固定を強化したことを特徴とした出没式筆記具。 
【請求項２】
後軸と玉部材の固定手段を、玉部に設けたくさび状リブとした請求項１記載の出没式筆記具。 
【請求項３】
後軸と玉部材の装着を、螺合とした 請求項１記載の出没式筆記具。 
【請求項４】
後軸と玉部材の固定手段を、玉部材を後軸に対して変位させ係止させた 請求項１記載の出没式筆記具。 
【請求項５】
軸筒内に電子回路を内蔵した 請求項１及び４記載の出没式筆記具。 
【発明の詳細な説明】
【技術分野】
【０００１】
本発明は、前軸と後軸を回転可能に配置し、後軸内方に設けた玉部と、中軸に固定あるいは中軸と一体に形成され、前軸と回転不能で摺動可能に配置したカム溝により、前軸と後軸の相対的回転で、筆記体を保持した中軸を前軸に対し摺動・維持可能に配置した出没式筆記具に関するものであり、玉部材を独立に形成し、玉部材には後軸に係止する係止部と、クリップに係止する係止部を形成し、玉部材を後軸の外径側より装着（当接・固定）し、更に後軸に装着固定するクリップ部材で玉部の係止・固定を強化したことを特徴とするため、カム溝を内抱した玉部及びクリップを含む後軸ユニットを容易に組み立て可能とした出没式筆記具を提供するものである。 
【背景技術】
【０００２】
筆記体後方の軸心を通る部分の空間にカム機構を内蔵できる場合は、既存のカム機構を配置することで比較的容易に、筆記体の出没機能を実現することができる。 
しかしながら軸筒内にインキ吸蔵体等の部品を含む筆記具や、軸筒内に電子回路を内蔵した筆記具等は筆記体後方の軸心を通る空間を、インキ吸蔵体等や電子回路部品が占有することが一般的である。 
特に筆記具先端近傍に発光装置と超音波発信装置を備え、筆記体の筆圧を検知して発信される光と超音波を受信装置で受信し、筆記位置のＸＹ座標を検出するシステムの筆記具では、電子回路部品が筆記具先端近傍まで存在するため、筆記体の出没機構を内蔵することは極めて困難であった。 
また軸筒内に電子回路を内蔵した筆記具は、電気配線の切断の危険性や、筆記具先端近傍に精密部品を正確な位置に配置する必要性があるため、特定の部品を軸筒から分離することは極めて困難であるため、筆記体の着脱には一般の筆記具とは異なる手段を用いる必要性があった。 
１例として、キャップに装着された金属片を筆記体先端に狭着させ抜き取るものがある。筆記体は後端部に筆記体フォルダーと着脱自在に挟着固定されており、固定手段として筆記体フォルダー内面に形成した複数の内方リブと、筆記体外径が圧入寸法に設定されている。 
また別の例として、軸筒に一部露出したスライドを前進させることで、筆記体後端に狭着された筆記体フォルダーを前進させ、軸筒先端からの筆記体の出の長さを長くして指先で長くなった筆記体を把持し、筆記体を抜き取るもの等が知られている。 
また軸筒内に電子回路を内蔵する筆記具では、筆記体の出没機構を内蔵することは極めて困難であるため、筆記具先端より突出したペン先部を保護・防汚のため、携帯時にはキャップを装着する必要があった。 
【特許文献１】特開２００４−１７３９７号公報
【発明の開示】
【発明が解決しようとする課題】
【０００３】
軸筒内に電子回路を内蔵した筆記具においても、前軸と後軸の相対的回転で、筆記体を保持した中軸を前軸に対し摺動・維持可能に配置可能にするため、筆記体先端が筆記具先端より没入する位置に移動し収納状態にすることや、筆記体の着脱のために筆記体の筆記状態より突出させた位置に移動することが可能となり、携帯時のキャップ装着を不要とすることが可能となり、また筆記体着脱の手段を新たに設けなくても可能とすることができる。 
後軸内方に設けた玉部と、中軸に固定あるいは中軸と一体に形成されたカム溝より、前軸と後軸の相対的回転で、筆記体を保持した中軸を前軸に対し摺動・維持可能に配置した出没式筆記具の組み立て方法にいくつかの制約を受ける。 
上記、出没式筆記具の組み立てに関しては、カム溝を２部品に分割し、玉部が内方に突出した後軸を仮セットし、２部品からなるカム溝を所定のカム溝幅になるように組み立てる方法や、後軸を長手軸方向で分割し、玉部をカム溝内に抱設させたのち、分割した後軸を分割不能に結合する等の方法が考えられるが、前者の場合、軸筒内に多くの部品を含む場合等は、それらの部品に干渉せずに適正位置にカム溝を組み立てセットすることが難しく、また部品の強度を考慮すると、２部品からなるカム筒の外径を拡大せざるを得なくなり、好ましい外径寸法を得られない欠点があった。また後者の場合では、分割した後軸を分割不能に結合させるために新たな部品が必要になったり、後軸外観の意匠性を損なう等の欠点があった。 
【課題を解決するための手段】
【０００４】
本発明は、前軸と後軸を回転可能に配置し、後軸内方に設けた玉部と、中軸に固定あるいは中軸と一体に形成され、前軸と回転不能で摺動可能に配置したカム溝により、前軸と後軸の相対的回転で、筆記体を保持した中軸を前軸に対し、摺動・維持可能に配置した出没式筆記具において、玉部材を独立に形成し、玉部材には後軸に係止する係止部と、クリップに係止する係止部を形成し、玉部材を後軸の外径側より装着（当接・固定）し、更に後軸に装着固定するクリップ部材で玉部の係止・固定を強化するため、カム溝を内抱した玉部及びクリップを含む後軸ユニットを容易に組み立て可能とした出没式筆記具を提供することを要旨とする。
【発明の効果】
【０００５】
本発明では、前軸と後軸を回転可能に配置し、後軸内方に設けた玉部と、中軸に固定あるいは中軸と一体に形成され、前軸と回転不能で摺動可能に配置したカム溝により、前軸と後軸の相対的回転で、筆記体を保持した中軸を前軸に対し摺動・維持可能に配置した出没式筆記具関するものであり、 
玉部材を独立に形成し、玉部材には後軸に係止する係止部とクリップに係止する係止部を形成し、玉部材を後軸の外径側より装着（当接・固定）し、更に後軸に装着固定するクリップ部材で玉部の係止・固定を強化したことを特徴とするため、カム溝を内抱した玉部及びクリップを含む後軸ユニットを容易に組み立て可能とした出没式筆記具を提供するものである。 
その結果出没機構により、携帯時のキャップの不要性や、筆記体着脱のための機構を新たに付加せずに実現できることができる。
【発明を実施するための最良の形態】
【０００６】
図１〜図５に本発明の１例を示し説明する。 
電子回路を搭載したフレックス基板１７が、前中軸６と後中軸７に部分的に接着固定されている。 
前中軸６先端近傍には、超音波発信素子１８、赤外線発信素子１９等が配置されている。 
前中軸６は前軸２に回転不能に固定されており、前軸２先端には発信器カバー１８が取り付けられている。 
後中軸７には、センサーボックス１５が装着され、センサーボックス１５には、筆記体１４の脱落不能に配置された筆記体フォルダー１６が抱設され、筆記体フォルダー１６には、リフィールクリップ１３が固定されている。筆記体１４はリフィールクリップ１３に挟着され、筆記体１４の後端を筆記体フォルダー１６で係止されている。
【０００７】
筆記体フォルダー１６は、センサーボックス１５内を摺動可能に抱設されており、筆記時に加わる筆圧によりセンサーボックス１５内にある感圧センサー１２を押圧し、筆記状態を電気的に感知する。 
後中軸７は、前軸２に対して回転不能で摺動可能に配置されており、後中軸７とカム筒８が回転不能に固定されている。後中軸７に固定されたカム筒８と、前軸２との間の弾発部材１１（コイルバネ）が配置され、後中軸７に固定されたカム筒８は前軸２に対して、筆記具後端側に付勢されている。 
後軸３は前軸２に対し、回転可能で脱落不能に配置され、カム筒８を内抱している。後軸３にはカム溝８aを回動する玉部１０ａが形成されている。
【０００８】
本実施例では図６に示すように、クリップ装着部３ｂに貫通穴３ａを形成し、後軸３内にカム筒８を装着した後、カム筒８に設けられているカム溝の位置を後軸３に設けている貫通穴３ａごしに、後軸外側よりカム溝８ａ内に玉部材１０を差し込み、後軸係止部３ｃと玉部係止部１０ｃで当接させ、玉部材１０のくさび状リブ１０ｄを後軸玉部材固定壁３ｄに圧入した後、クリップ９を後軸のクリップ装着部３ｂに圧入し、後軸３に対してクリップ９の位置決めを行うと同時に、クリップ係止部９ａで玉部材係止面１０ｂを係止することで、玉部材１０の長手方向の脱落防止を行っていると同時に、玉部係止面１０ｂとクリップ係止面９ａで外径方向の脱落防止を行っている。
【０００９】
後中軸７後方には、電源となる電池２２を配置し、電子回路が機能を発揮する。電池２２は、後軸３後方に尾栓５を螺着することで、保護されている。 
前軸２に対して後軸３を回転させると、後軸３に設けた玉部１０ａがカム筒カム溝８ａの壁面に沿って回動する。カム筒８に固定された後中軸７は、前軸２に対して回転不能で摺動可能に配置されているため、玉部１０ａのカム溝回動により、前軸２に対し長手方向の位置を変化させることができ、カム溝８a内の凹部（あるいは端部）８ｄで係止し、その状態を維持できる。 
本実施例では、玉部及びクリップを含む後軸ユニットと尾栓５を除いた状態で、筆記具の電子回路の品質を確認することができ、品質を満足したものに、後軸を尾栓側より筆記具に挿入し、玉部材１０を後軸外径側より、玉部挿入穴３ａを経由して玉部１０ａをカム溝内に装着固定し、クリップで玉部材の脱落防止を強化することができ、後軸ユニットの組み立てにおいて、筆記具の電子回路等への接触を極力避けることができ、弾発部材に付勢されたカム溝に係止される玉部を確実に脱落防止できる。 
【００１０】
本実施例は、中軸を後中軸７と前中軸６に分割し、前中軸６に対し後中軸７が前進・後退するときに前中軸６と後中軸７に連結して配置されたフレックス基板１７が撓むことで、電子回路を機能させているが、一体とした中軸を軸筒内で摺動・維持させることも可能である。 
カム溝８ａはカム筒８外面の一部に形成させているが、全周に設けても差し使いなく、この場合筆記体１４の係止位置に関係なく、後軸３をどちらの方向にも回転させることが可能となり、誤操作による故障の危険性を低減することができる。
【００１１】
図７は本発明の第２実施例を示している。 
玉部材１０には貫通穴が形成され、玉部材１０を後軸係止部３ｃ、３ｄに装着後、クリップ係止面９ａを前記貫通穴に挿入し、玉部材１０の外径方向への脱落防止を行っている。尚長手方向の脱落防止は玉部係止面１０ｅと後軸係止面３ｅの係合で行っている。 
上記２実施例は、玉部材１０のくさび状リブ１０ｄを後軸玉部材固定壁３ｄに圧入しているが、玉部材を略円形に形成させ、くさび状リブの代わりにネジ螺合させても良い（第３実施例。図示せず） 
【００１２】
図８〜図９に本発明の第４実施例を示す。
本実施例では、クリップ装着部３ｂに長穴状の玉部挿入穴３ａを形成し、後軸３内にカム筒８を装着した後、後軸３の外側よりカム溝８ａ内に玉部材１０を差し込み、後軸係止部３ｃと玉部係止部１０ｃで当接させ、玉部材１０を先端側にスライドさせ、玉部材１０を設けた後軸係止壁１０ｅを、後軸３の玉部材固定壁３ｄで玉部材の外径方向の脱落防止を行った後、クリップ９を後軸のクリップ装着部３ｂに圧入し、後軸３に対してクリップ９の位置決めを行うと同時に、クリップ係止部９ａで玉部材係止面１０ｂを係止することで、玉部材１０の長手方向の脱落防止を行っている。
【００１３】
図１０〜図１１に本発明の第５実施例を示す。 
本実施例ではクリップ装着部３ｂに玉部挿入穴３ａを形成し、後軸３内にカム筒８を装着した後、後軸外側よりカム溝８ａ内に玉部挿入穴３ａを介して玉部材１０を差し込み、後軸係止部３ｃと玉部係止部１０ｃで当接させ、玉部材１０を六角穴１０ｇを中心に１８０°回転させ玉部材１０の後軸係止壁１０ｅを後軸３の玉部材固定壁３ｄで玉部材の外径方向の脱落防止を行った後、クリップ９を後軸のクリップ装着部３ｂに圧入し、後軸３に対してクリップ９の位置決めを行うと同時に、クリップ係止部９ａで玉部材係止面１０ｂを係止することで、玉部材１０の長手方向の脱落防止を行っている。 
クリップと後軸の固定はクリップに形成したくさび状部９ｂと後軸のクリップ固定壁３ｅの圧入で行っているが、ネジ螺合による固定、カシメによる固定或いは接着による固定等の固定手段を用いても何ら差し支えない。
【図面の簡単な説明】
【００１４】
【図１】本発明の第１例の筆記体着脱状態を示す部分半断面図である。
【図２】本発明の第１例の筆記状態を示す部分半断面図である。
【図３】本発明の第１例の筆記体収納状態を示す部分半断面図である。
【図４】本発明の図１のＡ−Ａ断面矢視図である。
【図５】本発明の第１例のカム筒外面の展開図である
【図６】本発明の第１例の要部部品の一部分解斜視図である。
【図７】本発明の第２例の要部部品の一部分解斜視図である。
【図８】本発明の第４例の要部部品の一部分解斜視図である。
【図９】本発明の第４例の玉部材装着を示す解斜視図である。
【図１０】本発明の第５例の要部部品の一部分解斜視図である。
【図１１】本発明の第５例の玉部材装着を示す解斜視図である。
【００１５】
１  軸筒 
２  前軸 
３  後軸 
３ａ  玉部挿入穴 
３ｂ  クリップ装着部 
３ｃ  玉部材係止面 
３ｄ  玉部材固定壁 
３ｅ  クリップ固定壁 
４  発信器カバー 
５  尾栓 
６  前中軸 
７  後中軸 
８  カム筒 
８ａ  カム溝 
８ｄ  凹部あるいは端部 
９  クリップ 
９ａ  玉部材係止面 
９ｂ  くさび状部 
１０  玉部材 
１０ａ  玉部 
１０ｂ  クリップ係止面 
１０ｃ  後軸当接面 
１０ｄ  くさび状部 
１０ｅ  後軸係止面 
１０ｆ  爪部 
１０ｇ  六角穴 
１１  弾発部材 
１２  感圧センサー   
１３  リフィールクリップ 
１４  筆記体リフィール 
１５  センサーボックス 
１６  筆記体フォルダー 
１７  フレックス基板 
１８  超音波発信素子 
１９  赤外線発信素子 
２０  スイッチボタン 
２１  タクトスイッチ 
２２  電池 
２３  筆記体ガイド 
【図１】
2009286010.tif 000003
【図２】
2009286010.tif 000004
【図３】
2009286010.tif 000005
【図４】
2009286010.tif 000006
【図５】
2009286010.tif 000007
【図６】
2009286010.tif 000008
【図７】
2009286010.tif 000009
【図８】
2009286010.tif 000010
【図９】
2009286010.tif 000011
【図１０】
2009286010.tif 000012
【図１１】
2009286010.tif 000013